(57)【要約】【課題】迷惑電話や間違い電話による発信者を示す情報を残さないようにする。【解決手段】リンガカウント部３は、網制御部１からのリンガ信号をカウントする。所定時間以上リンガ信号を検出しないと、リンガ信号が停止したと判断し、リンガカウント数をリンガカウント判定部４に出力する。リンガカウント判定部４は、リンガカウント部３からのリンガカウント数と、リンガカウント閾値格納部６にあらかじめ登録されているリンガカウント閾値とを比較し、比較結果を主制御部５に出力する。主制御部５は、リンガカウント部３の比較結果によって、リンガカウント数が閾値に満たないことを認識した場合には、発信電話番号データ格納部１０に発信電話番号データを出力しない。リンガカウント数が閾値以上であることを認識した場合には、発信電話番号データを着信履歴として記憶させるために、発信電話番号データ格納部１０に発信電話番号データを出力する。【選択図】　図１
2004128610.tif 000002
【特許請求の範囲】
【請求項１】
発信電話番号信号を受信して発信電話番号データに変換する発信電話番号受信手段と、
発信電話番号データを記憶する発信電話番号データ格納手段と、
リンガ信号の数をカウントするリンガ信号カウント手段と、
上記リンガ信号カウント手段がカウントしたリンガ信号の回数が、あらかじめ決められた回数を越えたか否かの判定を行うリンガ信号回数判定手段と、
上記リンガ信号回数判定手段が、リンガ信号の回数があらかじめ決められた回数を越えた場合に、上記発信電話番号データ格納手段に発信電話番号データを記憶させる制御手段とを備えた
ことを特徴とする通信端末。
【請求項２】
制御手段は、着信時に、回線閉結がなされると、発信電話番号データ格納手段に、発信電話番号データを記憶させる
ことを特徴とする請求項１記載の通信端末。
【請求項３】
あらかじめ利用者が登録した電話番号である電話帳格納データを記憶する電話帳データ格納手段と、
発信電話番号データと一致する電話帳格納データを検出する発信電話番号判定手段とを備え、
発信電話番号判定手段が、発信電話番号データと一致する電話帳格納データを検出すると、制御手段は、発信電話番号データ格納手段に、発信電話番号データを記憶させる
ことを特徴とする請求項１または２記載の通信端末。
【請求項４】
制御手段は、着信時に、発信者名信号を受信すると、発信電話番号データ格納手段に発信電話番号データを記憶させる
ことを特徴とする請求項１、２または３記載の通信端末。
【請求項５】
発信電話番号データを表示する電話番号データ表示手段を備えた
請求項１、２、３および４記載の通信端末。
【請求項６】
発信者名信号を発信者名データに変換する発信者名受信手段と、
発信者名データを表示する発信者名データ表示手段とを備えた
請求項４記載の通信端末。
【発明の詳細な説明】
【０００１】
【発明の属する技術分野】
本発明は、公衆回線から発信電話番号を受信して記憶する機能を有する通信端末に関する。
【０００２】
【従来の技術】
公衆電話回線（以下、公衆回線という。）からの着信時に、発信電話番号等が通知される、ナンバーディスプレイサービスの提供が行われている。ナンバーディスプレイサービスの利用者は、ナンバーディスプレイサービス対応機器を利用することにより、受話することなく発信電話番号および発信者名を知ることができる。サービス利用者は、ナンバーディスプレイサービスに対応した、発信電話番号および発信者名を着信履歴として記憶する機能を有する機器を利用すれば、留守中などで受話できない時に着信した電話の発信電話番号および発信者名を知ることができ、利用者の必要に応じて電話をかけ直すことができる。
【０００３】
ナンバーディスプレイサービスを利用した技術としては、あらかじめ登録されていた電話番号以外の電話に対しては、その発信電話番号を記憶した後、回線を切断して通話しないようにしたものがある（例えば特許文献１参照。）。
【０００４】
また、着信による呼出音の回数が所定数に達した場合、または所定数に達する前に呼出が発信者側が呼出を中止した場合に、発信者側の電話機から通知される発信電話番号を記憶するようにしたものもある（例えば特許文献２参照。）。
【０００５】
【特許文献１】
特開平１０−１１７２３１号公報　（第２頁、第２図）
【特許文献２】
特開平１０−３０４０４５号公報　（第４頁、第１図）
【０００６】
【発明が解決しようとする課題】
しかし、特許文献１に記載されている発明による発信者電話番号識別制御装置では、必要な電話と迷惑電話との区別を、電話番号があらかじめ登録されているか否かで行っているため、利用者にとって必要な電話が、登録されていない電話番号からの発信であった場合に着信を受話することができないという問題があった。
【０００７】
また、特許文献２に記載されている発明によるハンズフリー装置の制御方法は、着信による呼出音の回数が所定数に達した場合、または所定数に達する前に呼出が強制的に中止された場合に、発信者側の電話機から通知される発信電話番号を記憶するようにしたものである。そのため、リンガ信号を一回だけ送る迷惑電話や、間違い電話の電話番号も記憶されてしまい、不用意にかけ直してしまったり、利用者が本来必要とする電話番号が、迷惑電話の電話番号や間違い電話等の利用者が不要とする電話番号に埋没してしまうという問題があった。
【０００８】
そこで、本発明は、発信者を示す情報を記憶する機能を有している場合に、迷惑電話や間違い電話による発信者を示す情報を残さないようにすることができる通信端末を提供することを目的とする。
【０００９】
【課題を解決するための手段】
本発明による通信端末は、発信電話番号信号を受信して発信電話番号データに変換する発信電話番号受信手段と、発信電話番号データを記憶する発信電話番号データ格納手段と、リンガ信号の数をカウントするリンガ信号カウント手段と、リンガ信号カウント手段がカウントしたリンガ信号の回数が、あらかじめ決められた回数を越えたか否かの判定を行うリンガ信号回数判定手段と、リンガ信号回数判定手段が、リンガ信号の回数があらかじめ決められた回数を越えた場合に、発信電話番号データ格納手段に発信電話番号データを記憶させる制御手段とを備えたことを特徴とする。
【００１０】
制御手段は、着信時に、回線閉結がなされると、発信電話番号データ格納手段に、発信電話番号データを記憶させてもよい。このとき、利用者は、受話した着信の発信電話番号を、後で確認できる。
【００１１】
あらかじめ利用者が登録した電話番号である電話帳格納データを記憶する電話帳データ格納手段と、発信電話番号データと一致する電話帳格納データを検出する発信電話番号判定手段とを備えてもよく、発信電話番号判定手段が、発信電話番号データと一致する電話帳格納データを検出すると、制御手段は、発信電話番号データ格納手段に、発信電話番号データを記憶させてもよい。このとき、利用者にとって既知の発信元からの着信履歴を記憶することができる。
【００１２】
制御手段は、着信時に、発信者名信号を受信すると、発信電話番号データ格納手段に発信電話番号データを記憶させてもよい。このとき、発信者名の分かる新規の発信元からの着信は記憶され、利用者の必要に応じてかけ直すことができる。
【００１３】
発信電話番号データを表示する電話番号データ表示手段を備えてもよい。このとき、利用者は発信電話番号データを視認することができる。
【００１４】
発信者名信号を発信者名データに変換する発信者名受信手段と、発信者名データを表示する発信者名データ表示手段とを備えてもよい。このとき、着信時に発信者名信号を受信すると、利用者は、発信者名データを視認することができる。
【００１５】
【発明の実施の形態】
以下、本発明の実施の形態を図面を参照して説明する。図１は本発明による通信端末の一例としての電話機の構成例を示すブロック図である。図１において網制御部１は、公衆回線である回線２と接続され、回線閉結及び開放を行う。また、リンガ信号、発信電話番号信号および発信者名信号を受信して、リンガ信号をリンガ信号カウント手段であるリンガカウント部３に出力し、発信電話番号信号を発信電話番号受信手段である発信電話番号受信部７に出力し、発信者名信号を発信者名受信手段である発信者名受信部１１に出力する。リンガカウント部３は、網制御部１と接続され、網制御部１から受信したリンガ信号の回数をカウントする。リンガカウント閾値格納部６は、利用者があらかじめ登録したリンガ信号の回数の閾値であるリンガカウント閾値を格納する。リンガ信号回数判定手段であるリンガ回数判定部４は、リンガカウント部３とリンガカウント閾値格納部６とに接続されている。
【００１６】
発信電話番号受信部７は、網制御部１と接続され、網制御部１から発信電話番号信号を受信すると、発信電話番号信号を発信電話番号データに変換し、制御手段である主制御部５へ送る。主制御部５は、発信電話番号受信部７から送られた発信電話番号データを発信電話番号判定手段である発信電話番号判定部８へ送る。電話帳データ格納手段である電話帳データ格納部９は、利用者があらかじめ登録した電話番号を電話帳格納データとして記憶する。発信電話番号判定部８は、電話帳データ格納部９に記憶されている電話帳格納データを検索して、主制御部５から送られた発信電話番号データと一致する電話帳格納データの検出を行い、検出した結果を判定結果として主制御部５へ通知する。発信者名受信部１１は、網制御部１と接続され、網制御部１から発信者名信号を受信すると、発信者名信号を発信者名データに変換して主制御部５へ送る。主制御部５は、発信者名データを受信すると、発信者名格納部１２へ出力し、発信者名格納部１２は発信者名データを記憶する。
【００１７】
主制御部５は、リンガカウント判定部４の判定結果と、発信電話番号判定部８の判定結果と、発信者名データの受信の有無とに基づいて、発信電話番号データの記憶の是非を判定する。そして、発信電話番号を記憶すると判定した場合には、発信電話番号データ格納手段である発信電話番号格納部１０へ発信電話番号データを出力する。発信電話番号格納部１０は受信した発信電話番号データを記憶する。利用者は、記憶された発信電話番号データと発信者名データとを、電話番号データ表示手段および発信者名データ表示手段である表示部（図示せず）に着信履歴データとして表示される発信電話番号および発信者名によって確認することができる。
【００１８】
次に、本発明の一実施例の動作について説明する。回線２から着信があると、網制御部１は、発信電話番号受信部７と発信者名受信部１１とにその旨を通知し、発信電話番号信号があれば発信電話番号受信部７へ発信電話番号信号を出力し、発信者名信号があれば発信者名信号を発信者名受信部１１に出力する。発信電話番号受信部７は、発信電話番号信号を入力すると、発信電話番号信号を発信電話番号データに変換して主制御部５へ送る。主制御部５は、発信電話番号データを発信電話番号判定部８に出力する。発信電話番号判定部８は、利用者があらかじめ登録して電話帳データ格納部９が記憶している電話帳格納データを検索して、発信電話番号データと一致する電話帳格納データの検出を行い、検出の結果を判定結果として主制御部５に出力する。また、発信者名受信部１１は、発信者名信号を入力すると、発信者名信号を発信者名データに変換して主制御部５に出力し、主制御部５は、発信者名データを発信者名格納部１２に出力する。発信者名格納部１２は発信者名データを記憶する。
【００１９】
網制御部１は、リンガ信号をリンガカウント部３に送り、リンガカウント部３はリンガ信号の回数をカウントする。リンガカウント部３は、リンガ信号のカウントを開始した後、所定時間以上リンガ信号を検出しないと、リンガ信号が停止したと判断する。そして、リンガ信号が停止したときまでにカウントしたリンガカウント数をリンガカウント判定部４に出力する。リンガカウント判定部４は、リンガカウント部３から入力したリンガカウント数と、リンガカウント閾値格納部６にあらかじめ登録されているリンガカウント閾値とを比較し、判定結果を主制御部５に出力する。主制御部５は発信電話番号データ格納判定を行い、格納すると判定したときには、発信電話番号データ格納部１０へ発信電話番号データを出力する。発信電話番号データ格納部１０は、発信電話番号データを着信履歴として記憶する。
【００２０】
発信電話番号データの格納判定について図面を参照して説明する。図２は発信電話番号データの格納判定を説明するためのフローチャートである。主制御部５は、利用者が電話機のハンドセットを上げてフックオフされ、回線が閉結された場合には（ステップＳ１）、発信電話番号データの格納を行うと判定する。利用者がフックオフした通話は、利用者にとって必要な通話であると判断できるからである。発信電話番号データの格納を行うと判定した場合に、主制御部５は、発信電話番号データを発信電話番号格納部１０に出力する。発信電話番号格納部１０は、主制御部５から入力された発信電話番号データを記憶する（ステップＳ６）。なお、この時点までに、回線２から受信された発信電話番号信号は、発信電話番号受信部７によって発信電話番号データに変換され主制御部５に入力されている。
【００２１】
また、主制御部５は、発信電話番号データを発信電話番号判定部８に出力している。発信電話番号判定部８は、発信電話番号データと、電話帳データ格納部９に格納されている各電話番号とを比較し、発信電話番号データと一致する電話帳格納データ（電話番号）が電話帳データ格納部９にあれば、その旨を主制御部５に通知する。
【００２２】
回線が閉結されていない状態で、主制御部５に発信電話番号データと一致する電話番号が電話帳データ格納部９にあることが通知されると（ステップＳ２）、主制御部５は、発信電話番号データの格納を行うと判定する。電話帳データ格納部９に記憶されている電話番号と一致する発信元の電話番号は、利用者の知人等の電話番号であり、迷惑電話や間違い電話ではないと判断できるからである。発信電話番号データの格納を行うと判定した場合に、主制御部５は、発信電話番号データを発信電話番号格納部１０に出力する。発信電話番号格納部１０は、主制御部５から入力された発信電話番号データを記憶する（ステップＳ６）。
【００２３】
なお、電話帳データ格納部９には、利用者が電話機に備えられている電話帳登録機能を利用することによって、知人等の電話番号が電話帳格納データとして登録されている。
【００２４】
また、主制御部５は、発信者名データが受信されていれば（ステップＳ３）、発信電話番号データの格納を行うと判定する。迷惑電話の発信元は一般に発信者名を通知しないので、発信者名信号を有する着信は迷惑電話の着信ではないと判断できるからである。発信電話番号データの格納を行うと判定した場合に、主制御部５は、発信電話番号データを発信電話番号格納部１０に出力する。発信電話番号格納部１０は、主制御部５から入力された発信電話番号データを記憶する（ステップＳ６）。
【００２５】
ステップＳ１〜Ｓ３の処理が行われている間、リンガカウント部４は、リンガ信号をカウントしている。そして、リンガカウント部４は、リンガが停止したと判断すると、そのときのリンガカウント数をリンガカウント判定部４に出力する。リンガカウント判定部４は、リンガカウント数がリンガカウント閾値（例えば「２」または「３」）を超えていれば、その旨を主制御部５に通知する（ステップＳ４，Ｓ５）。主制御部５は、リンガカウント数がリンガカウント閾値を超えていることの通知を受けると、発信電話番号データの格納を行うと判定する。発信電話番号データの格納を行うと判定した場合に、主制御部５は、発信電話番号データを発信電話番号格納部１０に出力する。発信電話番号格納部１０は、主制御部５から入力された発信電話番号データを記憶する（ステップＳ６）。リンガカウント数が、リンガカウント閾値以下である場合には（ステップＳ４）、格納を行わないと判定する。発信電話番号データの格納を行わないと判定した場合には、主制御部５は、発信電話番号データを発信電話番号格納部１０に出力しない（ステップＳ７）。
【００２６】
以上のような制御によって、リンガカウント数が少ない着信について、発信電話番号データが発信電話番号格納部１０に格納されない。リンガカウント数が少ない着信は利用者によるかけ直しを期待した迷惑電話であると考えられ、そのような発信元の発信電話番号データを記憶する必要がないからである。また、利用者がハンドセットを上げて受話しようとした場合には、発信電話番号データが発信電話番号格納部１０に格納される。さらに、発信元の発信電話番号データが電話帳データとして登録されている場合には、発信電話番号データが発信電話番号格納部１０に格納される。そして、発信者名を通知してきた通話について、発信電話番号データが発信電話番号格納部１０に格納される。
【００２７】
なお、上記の実施の形態では、通信端末として電話機を例にしたが、電話機に限らず、電話機能を備えたファクシミリ装置など回線２からの着信機能を備えた他の通信端末に本発明を適用することができる。
【００２８】
【発明の効果】
以上のように、本発明によれば、あらかじめ利用者が登録したリンガカウント数の閾値を超えない、リンガカウント数の少ない着信時の発信電話番号を、記憶しない構成にしたため、リンガカウント数の少ない着信時の間違い電話は着信履歴として記憶されない。そのため、利用者にとって不要な電話番号が着信履歴に記憶されない効果がある。また、利用者によるかけ直しを期待した迷惑電話も、一般にリンガカウント数の少ない着信であるため、電話番号は着信履歴として記憶されない。そのため、迷惑電話の着信が多い場合にも、利用者にとって必要な着信履歴が埋没しない効果がある。さらに、迷惑電話の発信元に不用意にかけ直すことが無くなる効果がある。
【図面の簡単な説明】
【図１】本発明による発信電話番号および発信者名記憶機能付き電話機の一構成例を示すブロック図である。
【図２】発信電話番号データの格納判定を説明するためのフローチャートである。
【符号の説明】
１　網制御部
２　回線
３　リンガカウント部
４　リンガカウント判定部
５　主制御部
６　リンガカウント閾値格納部
７　発信電話番号受信部
８　発信電話番号判定部
９　電話帳データ格納部
１０　発信電話番号格納部
１１　発信者名受信部
１２　発信者名格納部
【図１】
2004128610.tif 000003
【図２】
2004128610.tif 000004